(57)【要約】【課題】プリチャージ用ドライバを追加せずに、隣接するデータバスラインの影響によるデータ変動を防いで高品位な表示画像を得る。【解決手段】本来の映像信号をＮ系統に展開したビデオ信号ＶＩＤＥＯ１〜４の各映像データを、１回目のサンプリングパルスＳＡＭ１−１，２−１さらに２回目のサンプリングパルスＳＡＭ１−２，２−２によりそれぞれ同時サンプリングしてデータバスラインＢＵＳ１〜４およびＢＵＳ５〜８にそれぞれ供給するデータドライバ３０において、１水平走査期間の間に、ビデオ信号ＶＩＤＥＯ１〜４の各映像データの同時サンプリングを繰り返し２回行う。１回目の同時サンプリング時に隣接データバスラインの影響により電位変動ΔＶが生じても、２回目の同時サンプリングにより本来のデータ電位にサンプリングし直す。１回目のサンプリングが従来のプリチャージと同様に作用する。【選択図】　　図１
2004045665.tif 000002
【特許請求の範囲】
【請求項１】
１水平走査期間内の時系列の各映像信号をさらに時系列のＮ（Ｎは自然数）系統に展開した各映像データを同時にサンプリングするサンプリングパルスを順次生成するサンプリングパルス生成回路を有し、該サンプリングパルスにより順次サンプリングした該Ｎ系統の各映像データを複数のデータ信号線群のそれぞれに順次供給する複数点順次方式のデータドライバにおいて、
該サンプリングパルス生成回路は、該１水平走査期間内に、該各映像データの同時サンプリングが同一表示領域毎の該データ信号線群に対応して複数回繰り返して行われるように該サンプリングパルスを生成するデータドライバ。
【請求項２】
前記Ｎ系統に展開した各映像データがそれぞれ入力されるＮ本の映像信号線と、
時系列に順次遅延させた各サンプリングパルスによって順次サンプリングされる該Ｎ本の映像信号線の各映像データをＮ本のデータ信号線群のそれぞれに順次供給するスイッチ回路とを備えた請求項１記載のデータドライバ。
【請求項３】
前記同一表示領域毎のデータ信号線群に対応したＰ（Ｐは自然数）回目のデータサンプリング時の走査方向と、Ｐ＋１回目のデータサンプリング時の走査方向とを逆方向に切り換える走査方向切換手段を有する請求項１または２記載のデータドライバ。
【請求項４】
前記映像信号線には、１水平走査期間内に同じ前記各映像データが複数回入力される請求項１〜３の何れかに記載のデータドライバ。
【請求項５】
前記複数回は２回である請求項１、３または４記載のデータドライバ。
【請求項６】
前記映像信号線には、前記映像信号を時間軸伸長処理した前記各映像データが入力されている請求項２記載のデータドライバ。
【請求項７】
複数の走査信号線と複数のデータ信号線とが互いに交叉して配置され、各交叉部近傍に絵素容量がそれぞれ配置され、各絵素容量は駆動素子を介して該交叉部近傍のデータ信号線に電気的に導通可能に接続され、該駆動素子の制御端子は該交叉部近傍の走査信号線に接続された表示部と、
該各走査信号線に走査信号を順次供給するゲートドライバと、
該各データ信号線にそれぞれ映像データを供給する請求項１〜６の何れかに記載のデータドライバとを備えた表示装置。
【請求項８】
前記絵素容量は液晶からなる請求項７記載の表示装置。
【請求項９】
前記表示部、ゲートドライバおよびデータドライバが同一基板上に設けられた請求項７または８記載の表示装置。
【請求項１０】
前記ゲートドライバおよびデータドライバを構成する駆動素子および前記表示部の駆動素子は連続粒界結晶シリコンを用いて構成されている請求項７記載の表示装置。
【請求項１１】
請求項７〜１０の何れかに記載の表示装置の駆動方法であって、１水平走査期間内に、
前記データドライバに、該１水平走査期間分の時系列の映像信号をさらに時系列のＮ系統に展開した各映像データをそれぞれ入力するステップと、
時系列に順次遅延させたＭ（Ｍは自然数）番目のサンプリングパルスによって、該Ｎ系統の各映像データを同時にサンプリングするステップと、
この同時にサンプリングされたＮ系統の各映像データをＭ群目のＮ本のデータ信号線群にそれぞれ供給するステップと、
時系列に順次遅延させたＭ＋１番目のサンプリングパルスによって、該Ｎ系統の各映像データを同時にサンプリングするステップと、
この同時にサンプリングされたＮ系統の各映像データをＭ＋１群目のＮ本のデータ信号線群にそれぞれ供給するステップと、
時系列に順次遅延させた２Ｍ番目のサンプリングパルスによって、該Ｎ系統の各映像データを同時に再度サンプリングするステップと、
この同時にサンプリングされたＮ系統の各映像データを該Ｍ群目のＮ本のデータ信号線群のそれぞれに再度供給するステップと、
時系列に順次遅延させた２（Ｍ＋１）番目のサンプリングパルスによって、該Ｎ系統の各映像データを同時に再度サンプリングするステップと、
この同時にサンプリングされたＮ系統の各映像データを該Ｍ＋１群目のＮ本のデータ信号線群に再度供給するステップとを含む表示装置の駆動方法。
【発明の詳細な説明】
【０００１】
【発明の属する技術分野】
本発明は、データ信号線に表示用の映像データを順次供給するデータドライバ、そのデータドライバを備えた液晶表示装置などの表示装置およびその駆動方法に関する。
【０００２】
【従来の技術】
従来、液晶表示装置などの表示装置として、互いに交叉して配置された複数の走査信号線（ゲートバスライン）と複数のデータ信号線（データバスライン）との交叉部近傍に絵素容量をそれぞれマトリックス状に配置して、各絵素容量をＴＦＴなどの駆動素子を介してデータ信号線に接続し、駆動素子の制御端子を走査信号線に接続することによって、各絵素容量が選択的に駆動されるようにしたアクティブマトリックス型表示装置が知られている。
【０００３】
また、各データ信号線にそれぞれ映像データを供給するデータドライバ、および各走査信号線に走査信号を順次供給するゲートドライバを表示部と同じ基板上に設けたドライバモノリシック型表示装置が知られている。
【０００４】
このようなドライバモノリシック型の表示装置では、連続粒界結晶シリコン（例えばＴＦＴのチャンネル方向を結晶粒界で遮らないために、結晶粒界がほぼ平行になるように基板表面形状、不純物添加領域などを制御して作製したシリコン（ＳＩ）膜）を用いてデータドライバやゲートドライバを構成する駆動素子、および表示部の駆動素子が構成されている。
【０００５】
図１０は、従来の一般的なアクティブマトリックス方式のドライバモノリシック型液晶表示装置１００の要部構成を示す回路図である。
【０００６】
図１０において、この液晶表示装置１００は、ガラス基板または石英基板などの透明基板の上に、データドライバ２００、ゲートドライバ３００および表示部４００が形成されている。
【０００７】
データドライバ２００には、制御信号であるスタートパルスＳＰ、クロック信号ＣＫおよびＣＫＢおよび、１水平期間において、表示領域毎に対応して時系列に分割された映像信号を、さらに時系列に２系統の表示電圧レベルに展開したビデオ信号ＶＩＤＥＯ１およびＶＩＤＥＯ２が入力される。データドライバ２００の信号出力端にはデータバスライン（データ信号線）Ｓ１，Ｓ２，・・，Ｓｉ，・・，ＳＮがそれぞれに接続されている。
【０００８】
ゲートドライバ３００には、スタートパルスＳＰＧおよびクロック信号ＣＫＧ，ＣＫＧＢが入力される。ゲートドライバ３００の各信号出力端には、ゲートバスライン（走査信号線）Ｇ１，Ｇ２，・・，Ｇｉ，・・，ＧＭがそれぞれに接続されている。
【０００９】
表示部４００には、複数のゲートバスライン（走査信号線）Ｇ１，Ｇ２，・・，Ｇｉ，・・，ＧＭと複数のデータバスライン（データ信号線）Ｓ１，Ｓ２，・・，Ｓｉ，・・，ＳＮとの各交叉部近傍に薄膜トランジスタ（ＴＦＴ）４０１および絵素容量４０２がマトリックス状に配置されている。
【００１０】
各ＴＦＴ４０１のゲート端子（制御端子）はそれぞれ各ゲートバスラインＧ１，Ｇ２，・・，Ｇｉ，・・，ＧＭにそれぞれ接続され、その各ソース端子（一方の駆動端子）はそれぞれ各データバスラインＳ１，Ｓ２，・・，Ｓｉ，・・，ＳＮにそれぞれ接続され、その各ドレイン端子（他方の駆動端子）はそれぞれ各絵素容量４０２の一端にそれぞれ接続されている。
【００１１】
各絵素容量４０２は、透明基板上に設けられた透明電極と、他方の対向基板（図示せず）上に設けられた対向電極との間に表示媒体の液晶層が挟持されて構成されている。
【００１２】
図１１は、図１０のデータドライバ２００の要部構成を示すブロック図である。
【００１３】
図１１において、このデータドライバ２００は、サンプリングパルス生成回路２０１と、ビデオ信号ＶＩＤＥＯ１，ＶＩＤＥＯ２がそれぞれ供給される映像信号用配線２０２ａ，２０２ｂ（ビデオ信号線）と、複数のアナログスイッチ２０３ａ，２０３ｂ，２０４ａ，２０４ｂ，２０５ａ，２０５ｂ，・・・とを有している。
【００１４】
サンプリングパルス生成回路２０１は、スタートパルスＳＰ、クロック信号ＣＫ，ＣＫＢが入力され、映像信号を時系列に順次サンプリングするために順次遅延させたサンプリングパルスＳＡＭ１，ＳＡＭ２，ＳＡＭ３，・・・を生成する。このサンプリングパルスＳＡＭ１，ＳＡＭ２，ＳＡＭ３，・・・はそれぞれ、一対のアナログスイッチ２０３ａおよび２０３ｂ，２０４ａおよび２０４ｂ，２０５ａおよび２０５ｂ，・・・に順次供給される。
【００１５】
アナログスイッチ２０３ａ，２０３ｂ・・・は、入力されたサンプリングパルスＳＡＭ１・・に基づいて、一対のビデオ信号線２０２ａ，２０２ｂ上の各映像信号からサンプリングした各映像データをそれぞれデータバスラインＳ１，Ｓ２，・・・にそれぞれ出力する。
【００１６】
図１２は、図１１のサンプリングパルス生成回路２０１の構成を示す回路図である。
【００１７】
図１２において、このサンプリングパルス生成回路２０１は、Ｄフリップフロップ２１０ａ，２１０ｂ，２１０ｃ、・・・からなるシフトレジスタ２１０と、ＡＮＤ回路２２０ａ，２２０ｂ，２２０ｃ，・・・とを有している。
【００１８】
シフトレジスタ２１０において、Ｄフリップフロップ２１０ａのデータ入力端子ＤにはスタートパルスＳＰが入力されている。また、各Ｄフリップフロップ２１０ａの出力端子Ｑは後段のＤフリップフロップ２１０ｂのデータ入力端子Ｄに接続されている。また同様に、Ｄフリップフロップ２１０ｂの出力端子Ｑは、Ｄフリップフロップ２１０ｃの入力端子Ｄと接続されている。各Ｄフリップフロップ２１０ａ・・のクロック入力端子ＣＫ，ＣＫＢにはそれぞれクロック信号ＣＫ，ＣＫＢがそれぞれ入力されている。
【００１９】
隣接するＤフリップフロップの出力端子ＱはそれぞれＡＮＤ回路２２０の二つの入力端に接続され、ＡＮＤ回路２２０からサンプリングパルスが出力される。ＡＮＤ回路２２０として例えばＡＮＤ回路２２０ａの場合、Ｄフリップフロップ２１０ａ，２１０ｂの各出力端子Ｑはそれぞれ、ＡＮＤ回路２２０ａの二つの入力端に接続され、ＡＮＤ回路２２０ａからサンプリングパルスＳＡＭＰ１が出力される。
【００２０】
以下に、上記従来の液晶表示装置の動作について説明する。
【００２１】
図１３は、図１２のサンプリングパルス生成回路２０１の動作を説明するための信号波形図、図１４は、図１１のデータドライバ２００の動作を説明するための信号波形図である。
【００２２】
図１３に示すように、サンプリングパルス生成回路２０１に、制御信号であるスタートパルスＳＰ、クロック信号ＣＫ，ＣＫＢが入力されると、クロック信号ＣＫの立ち上がり時から次のクロック信号ＣＫＢの立ち下がり時まで、Ｄフリップフロップ２１０ａからの出力信号Ｑ１が図１３に点線で示すようにハイレベルになり、また、クロック信号ＣＫＢの立ち上がり時から次のクロック信号ＣＫの立ち下がり時まで、Ｄフリップフロップ２１０ｂからの出力信号Ｑ２が図１３に点線で示すようにハイレベルになる。これによって、ＡＮＤ回路２２０ａからは出力信号Ｑ１，Ｑ２が共にハイレベルであるときに、映像データをサンプリングするためのサンプリングパルスＳＡＭ１が出力される。これと同様に、ＡＮＤ回路２２０ｂ，２２０ｃ、・・・から順次サンプリングパルスＳＡＭ２、ＳＡＭ３、・・・が出力される。
【００２３】
データドライバ２００のビデオ信号線２０２ａ，２０２ｂにはそれぞれ、図１４に示すようなタイミングで、本来の映像信号を２倍に時間軸伸長した２系統のビデオ信号ＶＩＤＥＯ１，ＶＩＤＥＯ２が入力されている。本来の映像信号において、▲１▼〜▲８▼はそれぞれ、データ信号Ｓ１〜Ｓ８にそれぞれ対応する映像データであり、ビデオ信号線２０２ａにはビデオ信号ＶＩＤＥＯ１として映像データ▲１▼、▲３▼、▲５▼、▲７▼、・・・を２倍に時間軸伸長した映像データが順次供給され、ビデオ信号線２０２ｂにはビデオ信号ＶＩＤＥＯ２として映像データ▲２▼、▲４▼、▲６▼、▲８▼、・・・を２倍に時間軸伸長した映像データが順次供給されている。
【００２４】
ビデオ信号ＶＩＤＥＯ１，ＶＩＤＥＯ２は、上記サンプリングパルスＳＡＭ１のタイミングで映像データ▲１▼および▲２▼が同時にサンプリングされ、次に、サンプリングパルスＳＡＭ２のタイミングで映像データ▲３▼および▲４▼が同時にサンプリングされ、続いてサンプリングパルスＳＡＭ３のタイミングで映像データ▲５▼および▲６▼が同時にサンプリングされる。同様に、各映像データが順次サンプリングされ、アナログスイッチ２０３ａ，２０３ｂ，・・・と、表示部４００のデータバスラインＳ１、Ｓ２、Ｓ３、・・・とをホールド容量とするサンプルホールド回路２０１により、データバスライン容量のそれぞれに表示データが書き込まれる。
【００２５】
サンプリングパルスＳＡＭによって、各データバスラインＳｉに表示データが書き込まれている間、ゲートドライバ３００の出力端に接続されているゲートバスラインＧｉはアクティブとなっており、ゲートバスラインＧｉに接続されているＴＦＴ４０１を介してデータバスラインＳｉに書き込まれた表示データは、表示部４００の各絵素容量４０２に順次格納される。
【００２６】
１水平走査期間分の映像データのサンプリングが終了し、一列の各絵素容量４０２にデータが書き込まれた後、ゲートバスラインＧｉは非アクティブとなり、次の水平走査期間に表示データが書き込まれるまで、絵素容量４００に書き込まれたデータを保持する。絵素容量４００に書き込まれたデータによって、液晶による光の透過・散乱などの特性が変化し、表示画面上に画像が表示される。
【００２７】
上記従来の液晶表示装置１００において、データドライバ２００には、本来の映像データ信号を２倍に時間軸伸長した２系統の映像データが入力されているため、図１４に示すように、本来の映像信号をサンプリングする場合に比べて、映像データのサンプリング速度を１／２に遅くすることができる。
【００２８】
一般に、ドライバモノリシック型の液晶表示装置を構成するデータドライバにおいて、アナログスイッチとデータバスライン容量とによってサンプルホールド回路を構成すると、アナログスイッチとホールドコンデンサ（データバスライン容量）とによる時定数が大きくなるため、データドライバのサンプルホールド回路は、動作速度（充放電）に時定数による限界を有する。
【００２９】
これを改善するために、従来、データドライバを構成するＴＦＴの移動度など、トランジスタ特性に合わせて、本来の映像信号をＮ倍に時間軸伸長したＮ系統のビデオ信号をデータドライバに入力して、データドライバによるサンプリング速度を、元の映像信号をサンプリングする場合に比べて、１／Ｎに遅くすることが行われる。これによって、単結晶シリコントランジスタよりも移動度の低いポリシリコンやその他のＴＦＴによって、液晶表示装置を構成するドライバ回路（データドライバやゲートドライバ）を表示部と同一基板上に形成することが可能になる。
【００３０】
以下に、本来の映像信号をＮ倍に時間軸伸長してＮ系統のビデオ信号（映像データ）に変換して液晶表示装置を駆動する方法について説明する。
【００３１】
図１５は、従来の液晶表示装置を駆動する駆動回路システム５００の要部構成を示すブロック図である。ここでは、映像信号をＮ＝１２倍に時間軸伸長して元の映像信号を１２系統のビデオ信号として液晶表示装置に入力する場合を示している。
【００３２】
図１５において、この駆動回路システム５００は、タイミングジェネレータ５０１と、信号調整用回路ブロック５０２と、サンプルホールド回路５０３（サンプルホールドＬＳＩ）とを有している。
【００３３】
タイミングジェネレータ５０１には、映像信号に同期した同期信号ＳＹＮＣが入力されている。タイミングジェネレータ５０１は、入力された同期信号ＳＹＮＣを元に、ドライバモノリシック型液晶表示装置５０４に設けられたドライバを駆動するための各種制御信号（ＳＰ、ＣＫ、ＣＫＢ、ＳＰＧ、ＣＫＧ、ＣＫＧＢなど）と、ドライバモノリシック型液晶表示装置５０４に入力される１２系統のビデオ信号ＶＩＤＥＯ１〜１２を生成するためのサンプルホールドＬＳＩ用制御信号を生成する。この各種制御信号はドライバモノリシック型液晶表示装置５０４に供給され、サンプルホールドＬＳＩ用制御信号はサンプルホールドＬＳＩ５０３に供給される。
【００３４】
信号調整用回路ブロック５０２には図１６に示すようなビデオ信号ＶＩＤＥＯ・ＩＮが入力されている。信号調整用回路ブロック５０２は、ビデオ信号ＶＩＤＥＯ・ＩＮの極性反転と、コントラスト・振幅の調整とを行う機能を有しており、図１６に示すように、入力されるビデオ信号ＶＩＤＥＯ・ＩＮを、１水平走査期間毎に正極性と負極性とに極性が反転する信号に変換し、さらに、入力されるビデオ信号ＶＩＤＥＯ・ＩＮの振幅Ｖを振幅Ｖ１に増幅する。このように、１水平走査期間毎に映像信号の極性を反転させる理由は、表示部４００を構成する液晶に直流電圧が印加されて液晶が劣化することを防止すると共に、フリッカを目立たなくするためである。極性反転および振幅調整などが行われたビデオ信号ＶＩＤＥＯは、サンプルホールドＬＳＩ５０３に入力される。
【００３５】
サンプルホールドＬＳＩ５０３は、タイミングジェネレータ５０１から供給される制御信号にしたがって、信号調整用回路ブロック５０２から供給されたビデオ信号ＶＩＤＥＯを元に、図１７（ａ）〜図１７（ｌ）に示すような１２系統に展開されたビデオ信号ＶＩＤＥＯ１〜ＶＩＤＥＯ１２をドライバモノリシック型液晶表示装置５０４に出力する。ビデオ信号ＶＩＤＥＯ１〜ＶＩＤＥＯ１２は、本来のビデオ信号ＶＩＤＥＯ・ＩＮと比べて１２倍の長さに伸長されており、動作速度が１／１２であるので、ドライバモノリシック型液晶表示装置５０４に備わったデータドライバの動作速度も、それに応じて遅くすることができる。
【００３６】
図１８は、映像信号の伸長数をＮ＝１２として、本来の映像信号を１２系統の映像データ（表示電圧レベル）に展開したビデオ信号ＶＩＤＥＯ１〜ＶＩＤＥＯ１２が入力される従来の液晶表示装置６００の構成を示すブロック図である。なお、ここでは、三つの表示領域１〜３に分割したが実際にはもっと多数である。
【００３７】
図１８において、この液晶表示装置６００は、データドライバ７００と、図１０のゲートドライバ３００と同様のゲートドライバ８００と、表示部９００とを有している。
【００３８】
データドライバ７００は、サンプリングパルスＳＵＭ１〜ＳＵＭ３を生成するサンプリングパルス生成回路７１０と、各サンプリングパルスＳＵＭ１〜ＳＵＭ３によってビデオ信号ＶＩＤＥＯ１〜ＶＩＤＥＯ１２をサンプリングするアナログスイッチＳＷ１〜ＳＷ３６とを有している。
【００３９】
表示部９００は、三つの表示領域１〜３を有しており、それぞれ、１２本のデータバスラインＢＵＳ１〜ＢＵＳ１２ｂＵＳ１３〜ＢＵＳ２４およびＢＵＳ２５〜ＢＵＳ３６によって絵素容量に表示データが供給されるようになっている。
【００４０】
上記構成により、データドライバ７００のサンプリングパルス生成回路７１０では、図１１および図１２を用いて説明したサンプリングパルス生成回路２０１の場合と同様に、データドライバ駆動用クロック信号ＣＫ，ＣＫＢに同期してサンプリングパルスＳＵＭ１が出力され、アナログスイッチＳＷ１〜ＳＷ１２とデータバスライン容量ＣＢＵＳ１〜ＣＢＵＳ１２とからなるサンプルホールド回路によって、ビデオ信号線７０１〜７１２に入力されているビデオ信号ＶＩＤＥＯ１〜ＶＩＤＥＯ１２の映像データが、表示領域１の表示データとして、各データバスラインＢＵＳ１〜ＢＵＳ１２の容量ＣＢＵＳ１〜ＣＢＵＳ１２に格納される。
【００４１】
サンプリングパルスＳＵＭ１によるビデオ信号ＶＩＤＥＯのサンプルホールドが完了した後、次に、サンプリングパルス生成回路７００からデータドライバ駆動用クロック信号ＣＫおよびＣＫＢに同期してサンプリングパルスＳＵＭ２が出力され、アナログスイッチＳＷ１３〜ＳＷ２４とデータバスライン容量ＣＢＵＳ１３〜ＣＢＵＳ２４とからなるサンプルホールド回路によって、ビデオ信号線７０１〜７１２に入力されているビデオ信号ＶＩＤＥＯ１〜ＶＩＤＥＯ１２の映像データが、表示領域２の表示データとして、各データバスラインＢＵＳ１３〜ＢＵＳ２４のデータバスライン容量ＣＢＵＳ１３〜ＣＢＵＳ２４に書き込まれる。
【００４２】
これと同様に、サンプリングパルスＳＵＭ２によるビデオ信号のサンプルホールドが完了した後、次に、サンプリングパルス生成回路７１０からデータドライバ駆動用クロック信号ＣＫ，ＣＫＢに同期してサンプリングパルスＳＵＭ３が出力され、アナログスイッチＳＷ２５〜ＳＷ３６とデータバスライン容量ＣＢＵＳ２５〜ＣＢＵＳ３６とからなるサンプルホールド回路によって、ビデオ信号線７０１〜７１２に入力されているビデオ信号ＶＩＤＥＯ１〜ＶＩＤＥＯ１２の映像データが、表示領域３の表示データとして、各データバスラインＢＵＳ２５〜ＢＵＳ３６のデータバスライン容量ＣＢＵＳ２５〜ＣＢＵＳ３６に格納される。これによって、１水平走査期間分の映像信号のサンプルホールドが終了する。
【００４３】
以上のようにして、中間調のベタ表示を行う場合、サンプリングパルスＳＵＭ１により映像データがサンプリングされて表示領域１に表示され、サンプリングパルスＳＵＭ２により映像データがサンプリングされて表示領域２に表示され、サンプリングパルスＳＵＭ３により映像データがサンプリングされて表示領域３に表示される。
【００４４】
【発明が解決しようとする課題】
しかしながら、上記従来の液晶表示装置６００にて中間調のベタ表示を行う場合、各表示領域１〜３の境界部分に縦筋が発生するという問題がある。
【００４５】
以下に、このような縦筋が発生する原因について説明する。まず、データバスラインＢＵＳ１２に格納された表示データについて説明する。
【００４６】
本来、サンプリングパルスＳＵＭ１によりビデオ信号ＶＩＤＥＯ１２の映像データをデータバスラインＢＵＳ１２のデータバスライン容量ＣＢＵＳ１２にサンプルホールドした後は、次の水平走査期間において映像データのサンプルホールドが開始されて再びサンプリングパルスＳＵＭ１が出力されるまでは、データバスラインＢＵＳ１２の容量ＣＢＵＳ１２に格納された表示データにおいて、保持電圧（保持データ）に変動（変化）は生じないはずである。
【００４７】
しかしながら、図１９に示すように、表示部９００のデータバスラインＢＵＳＫとＢＵＳ　Ｋ＋１の間には、各種寄生容量（表示部９００を構成する各種導電層と絶縁層などとの間に存在する寄生容量）が存在している。例えばデータバスラインＢＵＳ１０とＢＵＳ１１との間には寄生容量ＣＳＳ１０が存在している。このため、図２０に示すように、サンプリングパルスＳＵＭ２によりデータバスラインＢＵＳ１３の容量ＣＢＵＳ１３に映像データが格納される時点において、データバスラインＢＵＳ１２とＢＵＳ１３との間の寄生容量ＣＳＳ１２を介して、データバスラインＢＵＳ１２の容量ＣＢＵＳ１２にサンプルホールドされたデータがΔＶだけ変動する。ここで、正極性の映像データＶが書き込まれるときには正側にΔＶだけ変動し、負極性の映像データが書き込まれるときには負側にΔＶだけ変動する。
（　　　　図２０の補正信号Ｖｃについてご教示下さい。）
例えば、データバスラインＢＵＳ　Ｋの容量をＣＢＵＳ、データバスラインＢＵＳ　ＫとＢＵＳ　Ｋ＋１との間の寄生容量をＣＳＳとし、ビデオ信号線に供給される映像データ（ビデオ信号ＶＩＤＥＯ）を、図１６に示すように、振幅Ｖ１で１水平走査期間毎にセンター電位に対して極性反転させる場合を考えると、データバスラインＢＵＳ１２の容量ＣＢＵＳにサンプルホールドしたデータの変動量ΔＶは、
ΔＶ＝２×Ｖ１×ＣＳＳ／ＣＢＵＳ
となる。ここで、Ｖ１＝４．５Ｖ、ＣＳＳ＝０．５ＰＦ、ＣＢＵＳ＝９ＰＦと仮定すると、
ΔＶ＝０．５Ｖ
となり、表示上、無視することができないような電位の変動が、データバスラインに発生する。これと同様に、データバスラインＢＵＳ２４についても、データホールド後の電位変動ΔＶが発生する。一方、データバスラインＢＵＳ１〜ＢＵＳ１１については、データホールド後に隣接するデータバスラインの電位が変動することはないので、上述したようなデータの変動ΔＶは発生しない。
【００４８】
なお、ここでは、走査方向（ＳＵＭ１→ＳＵＭ２→ＳＵＭ３と進む）は左から右方向（ＳＵＭ１→ＳＵＭ２→ＳＵＭ３に進む）の場合について説明したが、走査方向が右から左方向（ＳＵＭ３→ＳＵＭ２→ＳＵＭ１に進む）の場合には、データバスラインＢＵＳ２５およびＢＵＳ１３に格納されたデータが、データバスラインＢＵＳ２４およびＢＵＳ１２へのデータ書き込み時に影響を受けて変動することは言うまでもない。
【００４９】
このようなデータバスラインＢＵＳ１２およびＢＵＳ２４の変動電位ΔＶによって、本来は中間調のベタ表示が行われるはずである液晶表示装置６００において、表示画像に規則的な（上記例ではデータバスライン１２本毎に現れる）縦筋状の表示不具合が発生することになる。
【００５０】
このような表示不具合を改善するための方法として、一般に、データバスラインＢＵＳ１〜ＢＵＳ３６に対してプリチャージを行う方法が知られている。
【００５１】
この方法では、１水平走査期間において映像データのサンプリング（サンプルホールド）が開始される以前に、一旦、全データバスラインＢＵＳ１〜ＢＵＳ３６に対して中間データ（プリチャージ電位）を書き込んでから、映像データのサンプリングを行う。これにより、上述したような表示領域間で隣接するデータバスラインのサンプリングによってデータバスラインに保持されているデータの電位変動が生じることを低減することができる。
【００５２】
図２１は、データバスラインに対してプリチャージを行う従来の液晶表示装置の駆動方法について説明するための信号波形図である。
【００５３】
図２１に示すように、プリチャージ電位をＶＰ、表示される映像データをＶＭとすると、上述したデータバスラインの電位変動は、
ΔＶ＝２×ＶＭ×ＣＳＳ／ＣＢＵＳ
から、
ΔＶ’＝│ＶＭ−ＶＰ│×ＣＳＳ／ＣＢＵＳ
となる。ここで、Ｖ１＝４．５Ｖ、ＶＭ＝３．５Ｖ、ＶＰ＝２Ｖ、ＣＳＳ＝０．５ＰＦ、ＣＢＵＳ＝９ＰＦと仮定すると、データバスラインの電位変動を、
ΔＶ＝０．３８９Ｖ　　→　　ΔＶ’＝０．０８３Ｖ
に低減できることになる。
【００５４】
しかしながら、このようなデータバスラインのプリチャージを行う方法によっても、データバスラインの変動ΔＶ’が０．０８３Ｖだけ残っている。ここで、ビデオ信号のダイナミックレンジをＶ１＝４．５Ｖとして仮定すると、２５６階調表示を行う場合、１階調＝４．５／２５６＝１７．５ＭＶであり、０．０８３Ｖ（８３ＭＶ）では４階調以上の電位変動が残ることになる。また、ここでは、ＶＭ＝３．５Ｖ、ＶＰ＝２Ｖとしているが、ＶＰとＶＭとの電位差が大きいほど、縦筋の発生（ΔＶ’）が顕著になる。
【００５５】
さらに、データバスラインのプリチャージを行うためには、プリチャージ用ドライバを、表示部９００を形成するガラス基板上に設ける必要があり、表示装置のサイズ増大やプリチャージ用ドライバの追加による歩留まりの低下、プリチャージ用ドライバを駆動するための外部駆動回路の増加なども伴うことになる。
【００５６】
本発明は、上記従来の問題を解決するもので、プリチャージ用ドライバを新たに追加しなくても、隣接するデータバスラインの影響によるデータ変動を防いで高品位な表示画像を得ることができるデータドライバ、これを用いた表示装置およびその駆動方法を提供することを目的とする。
【００５７】
【課題を解決するための手段】
本発明のデータドライバは、１水平走査期間内の時系列の各映像信号をさらに時系列のＮ（Ｎは自然数）系統に展開した各映像データを同時にサンプリングするサンプリングパルスを順次生成するサンプリングパルス生成回路を有し、サンプリングパルスにより順次サンプリングしたＮ系統の各映像データを複数のデータ信号線群のそれぞれに順次供給する複数点順次方式のデータドライバにおいて、サンプリングパルス生成回路は、１水平走査期間内に、各映像データの同時サンプリングが同一表示領域毎のデータ信号線群に対応して複数回繰り返して行われるようにサンプリングパルスを生成するものであり、そのことにより上記目的が達成される。
【００５８】
また、好ましくは、本発明のデータドライバにおいて、Ｎ系統に展開した各映像データがそれぞれ入力されるＮ本の映像信号線と、時系列に順次遅延させた各サンプリングパルスによって順次サンプリングされる該Ｎ本の映像信号線の各映像データをＮ本のデータ信号線群のそれぞれに順次供給するスイッチ回路とを備える。
【００５９】
さらに、好ましくは、本発明のデータドライバにおいて、同一表示領域毎のデータ信号線群に対応したＰ（Ｐは自然数）回目のデータサンプリング時の走査方向と、Ｐ＋１回目のデータサンプリング時の走査方向とを逆方向に切り換える走査方向切換手段を有する。
【００６０】
さらに、好ましくは、本発明のデータドライバにおける映像信号線には、１水平走査期間内に同じ各映像データが複数回入力される。
【００６１】
さらに、好ましくは、本発明のデータドライバにおいて、前記複数回は２回である。
【００６２】
さらに、好ましくは、本発明のデータドライバにおける映像信号線には、映像信号を時間軸伸長処理した各映像データが入力されている。
【００６３】
本発明の表示装置は、複数の走査信号線と複数のデータ信号線とが互いに交叉して配置され、各交叉部近傍に絵素容量がそれぞれ配置され、各絵素容量は駆動素子を介して交叉部近傍のデータ信号線に電気的に導通可能に接続され、駆動素子の制御端子は該交叉部近傍の走査信号線に接続された表示部と、各走査信号線に走査信号を順次供給するゲートドライバと、各データ信号線にそれぞれ映像データを供給する請求項１〜６の何れかに記載のデータドライバとを備えたものであり、そのことにより上記目的が達成される。
【００６４】
また、好ましくは、本発明の表示装置における絵素容量は液晶からなる。
【００６５】
さらに、好ましくは、本発明の表示装置における表示部、ゲートドライバおよびデータドライバが同一基板上に設けられる。
【００６６】
さらに、好ましくは、本発明の表示装置におけるゲートドライバおよびデータドライバを構成する駆動素子および前記表示部の駆動素子は連続粒界結晶シリコンを用いて構成されている。
【００６７】
本発明の表示装置の駆動方法は、請求項７〜１０の何れかに記載の表示装置の駆動方法であって、１水平走査期間内に、データドライバに、１水平走査期間分の時系列の映像信号をさらに時系列のＮ系統に展開した各映像データをそれぞれ入力するステップと、時系列に順次遅延させたＭ（Ｍは自然数）番目のサンプリングパルスによって、Ｎ系統の各映像データを同時にサンプリングするステップと、この同時にサンプリングされたＮ系統の各映像データをＭ群目のＮ本のデータ信号線群にそれぞれ供給するステップと、時系列に順次遅延させたＭ＋１番目のサンプリングパルスによって、Ｎ系統の各映像データを同時にサンプリングするステップと、この同時にサンプリングされたＮ系統の各映像データをＭ＋１群目のＮ本のデータ信号線群にそれぞれ供給するステップと、時系列に順次遅延させた２Ｍ番目のサンプリングパルスによって、該Ｎ系統の各映像データを同時に再度サンプリングするステップと、この同時にサンプリングされたＮ系統の各映像データをＭ群目のＮ本のデータ信号線群のそれぞれに再度供給するステップと、時系列に順次遅延させた２（Ｍ＋１）番目のサンプリングパルスによって、Ｎ系統の各映像データを同時に再度サンプリングするステップと、この同時にサンプリングされたＮ系統の各映像データをＭ＋１群目のＮ本のデータ信号線群に再度供給するステップとを含むものであり、そのことにより上記目的が達成される。
【００６８】
上記構成により、以下、本発明の作用について説明する。
【００６９】
本発明においては、本来の時系列の映像信号（アナログ映像信号）を、さらに時系列のＮ系統（Ｎ相）の各表示電圧レベルに展開した映像データとして入力し、サンプリングパルスによってＮ系統のビデオ信号（映像データ）を同時にサンプリングし、そのＮ系統のサンプリング映像データを複数のデータ信号線群のうちＮ本のデータ信号線群のそれぞれに供給する複数点同時サンプリングの複数点順次方式データドライバにおいて、１水平走査期間内に、複数点同時サンプリングを同一表示領域毎のデータ信号線群に対して複数回、少なくとも２回（繰り返し回数）行う。これによって、複数点同時サンプリングが行われる表示領域（ブロック）の境界で、データバスライン同士の容量結合によって、１回目の映像データの複数点同時サンプリング時に隣接表示領域のサンプリングの影響による電位変動ΔＶが生じても、２回目（再度の）の映像データの複数点同時サンプリングによって本来のデータ電位にサンプリングし直すことが可能となり、これにより、従来発生していた縦筋を打ち消すことが可能となる。
【００７０】
したがって、従来のように、１水平走査期間の映像データのサンプリング前にプリチャージ動作を行う必要がなく、プリチャージ駆動回路も不要になる。さらに、データバスラインに一旦プリチャージ電位を書き込む方法では、プリチャージ電位ＶＰと映像データＶＭとの電位差が大きいほど、縦筋の発生（ΔＶ’）が顕著になるが、本発明によれば、１回目の複数点同時サンプリングが従来のプリチャージと同様に作用するため、ＶＰ≒ＶＭとして縦筋を防ぐことができる。したがって、表示諧調の電位によらず、常に最適なプリチャージをデータバスラインに施すことが可能となる。
【００７１】
さらに、同一表示領域毎のデータ信号線群に対応した繰り返しＮ回目のデータサンプリング時の走査方向と、Ｎ＋１回目のデータサンプリング時の走査方向とを切り換えることによって、絵素容量へのデータ書き込み時間の平均化を図り、表示部の左右方向に輝度むらなどが生じることが防止される。
【００７２】
なお、従来技術において、（１）特開平５−３２８２６６号公報および（２）特開平８−９３０８号公報には、液晶表示装置のデータドライバにおいて、走査方向を切り換えることについて記載されているが、上記従来技術（１）では、表示部を挟んで上下に設けられたデータドライバの走査方向を逆方向にしてサンプリングを行うことにより、表示領域（ブロック）間の継ぎ目を目立たなくするためのものである。
【００７３】
これに対して、本発明では、データドライバによるスキャンを１水平走査期間で繰り返して複数回行うことにより、複数の映像データが同時サンプリングされる表示領域（ブロック）間で縦筋の発生原因となる電位変動量を低減するためのものであり、上記従来技術（１）とは根本的に技術思想が異なるものである。
【００７４】
また、上記従来技術（２）では、プロジェクション型液晶表示装置の設置方向に対応してデータドライバの走査方向を切り換えることによって、投影される映像の向きを適切に合わせるためのものであって、本発明のように縦筋の発生原因となる電位変動量を低減するためのものではありません。
【００７５】
本発明は、液晶表示装置などの表示装置を駆動するデータドライバがパネルサンプルホールド方式（複数点順次駆動方式）である場合を想定している。このようなデータドライバは、表示部とデータドライバおよびゲートドライバとが同一基板上に設けられたドライバモノリシック型の表示装置において用いている。また、表示部とデータドライバおよびゲートドライバとを構成する駆動素子を、連続粒界結晶シリコン（ＳＩ）を用いて構成することによって、高速動作可能なドライバモノリシック型液晶表示装置を得ることが可能となり、各映像データの供給時間が短くてもデータバスラインへのデータ書き込みが可能となるので、本来の映像信号の相展開数（時系列にＮ系統の表示電圧レベルに展開された各映像データ数Ｎ）を減らすことができる。
【００７６】
【発明の実施の形態】
以下に、本発明の液晶表示装置の実施形態１〜３について、図面を参照しながら説明する。
（実施形態１）
図１（ａ）は、本発明の液晶表示装置の実施形態１における要部構成を示すブロック図、図１（ｂ）は、図１（ａ）と比較するための従来の液晶表示装置における要部構成を示すブロック図である。
【００７７】
図１（ａ）において、本発明の液晶表示装置１０は、複数の絵素容量がマトリックス状に配置された表示部２０と、表示部２０のデータバスラインＢＵＳ１〜ＢＵＳ８に映像データを供給するデータドライバ３０と、表示部２０のゲートバスラインＧ１，Ｇ２・・ＧＮに走査信号を順次供給するゲートドライバ４０とを有している。
【００７８】
表示部２０は、少なくとも表示領域１，２を有しており、それぞれ、複数本。例えば４本のデータバスラインＢＵＳ１〜４と４本のデータバスラインＢＵＳ５〜８によって各絵素容量に各表示データが供給されるようになっている。
【００７９】
データドライバ３０は、サンプリングパルスＳＡＭ１−Ｎ（本実施形態１ではＳＡＭ１−１，１−２）およびＳＡＭ２−Ｎ（本実施形態１ではＳＡＭ２−１，２−２）を生成するサンプリングパルス生成回路３１と、各サンプリングパルスＳＡＭ１−Ｎ，ＳＡＭ２−Ｎによってビデオ信号線（映像信号用配線）３２〜３５に供給されているビデオ信号ＶＩＤＥＯ１〜ＶＩＤＥＯ４の各映像データを複数点同時サンプリングするアナログスイッチＳＷ１〜ＳＷ４およびＳＷ５〜ＳＷ８とを有している。
【００８０】
サンプリングパルス生成回路３１は、１水平走査期間内に、複数点同時サンプリングを繰り返して複数回、本実施形態１では２回（例えばサンプリングパルスＳＡＭ１−１，１−２）行う。
【００８１】
これに対して、図１（ｂ）の比較例としての従来の液晶表示装置１６は、複数の絵素容量がマトリックス状に設けられた表示部２６と、表示部２６のデータバスラインＢＵＳ１〜ＢＵＳ８に映像データを供給するデータドライバ３６と、表示部２６のゲートバスラインＧ１，Ｇ２，・・Ｇｉ・・ＧＮに走査信号を順次供給するゲートドライバ４０とを有している。表示部２６は表示領域１〜４を有しており、それぞれ、２本づつのデータバスラインＢＵＳ１，２と、ＢＵＳ３，４と、ＢＵＳ５，６と、ＢＵＳ７，８とによって各絵素容量に表示データが順次供給されるようになっている。データドライバ３６は、サンプリングパルスＳＡＭ１〜ＳＡＭ４を生成するサンプリングパルス生成回路３７と、各サンプリングパルスＳＡＭ１〜ＳＡＭ４によってビデオ信号線３８，３９に供給されているビデオ信号ＶＩＤＥＯ１，ＶＩＤＥＯ２を複数点同時サンプリングするアナログスイッチＳＷ１〜４およびＳＷ５〜８とを有している。
【００８２】
本実施形態１の液晶表示装置１０では、上記比較例の液晶表示装置１６と比べてビデオ信号線の数が２倍の４本となっており、表示部２０に４本のデータバスラインを含む表示領域（ブロック）１，２が設けられている。また、本実施形態１の液晶表示装置１０では、各ビデオ信号ＶＩＤＥＯ１〜ＶＩＤＥＯ４の各映像データに対して、１水平走査期間内に同じ映像データが繰り返して２回供給され、サンプリングパルス生成回路３１から同じ映像データを２回サンプリング（再度サンプリング）するためのサンプリング信号（ＳＡＭ１−１，ＳＡＭ１−２またはＳＡＭ２−１，ＳＡＭ２−２）が出力されるようになっている。これによって、同時サンプリングが行われる表示領域（ブロック）の境界で、データバスライン同士の容量結合によって、１回目の映像データの複数点同時サンプリング（例えばサンプリングパルスＳＡＭ１−１によるサンプリング動作）のときに隣接表示領域のサンプリングの影響による電位変動ΔＶが生じても（上記比較例では１回の映像データの複数点同時サンプリング動作しかない）、２回目の映像データの複数点同時サンプリング（例えばサンプリングパルスＳＡＭ１−２によるサンプリング動作）によって本来のデータ電位にサンプリングし直すことができる。
【００８３】
図２は、図１（ａ）の液晶表示装置１０を駆動する駆動回路システム１の要部構成を示すブロック図である。ここでは、映像信号をＮ＝２倍に時間軸伸長して元の映像信号を４系統のビデオ信号ＶＩＤＥＯ１〜ＶＩＤＥＯ４の各映像データとして液晶表示装置１０に供給する場合を示している。
【００８４】
この駆動回路システム１は、タイミングジェネレータ２と、Ａ／Ｄ変換およびメモリ回路ブロック３と、Ｄ／Ａ変換および信号調整用回路ブロック４とを有している。
【００８５】
タイミングジェネレータ２は、図１５に示すタイミングジェネレータ５０１の場合と同様に、映像信号に同期した同期信号ＳＹＮＣが入力される。タイミングジェネレータ２は、入力された同期信号ＳＹＮＣを元に、ドライバモノリシック型液晶表示装置などの液晶表示装置１０に対してドライバ駆動用の各種制御信号（ＳＰ、ＣＫ、ＣＫＢ、ＳＰＧ、ＣＫＧ、ＣＫＧＢなど）と、液晶表示装置１０に入力される４系統のビデオ信号ＶＩＤＥＯ１〜ＶＩＤＥＯ４の各映像データを生成するために信号調整用回路ブロック４を制御するための映像データ生成用の制御信号とを生成する。
【００８６】
Ａ／Ｄ変換およびメモリ回路ブロック３には、ビデオ信号ＶＩＤＥＯ・ＩＮが入力される。Ａ／Ｄ変換およびメモリー回路ブロック３は、入力されたビデオ信号ＶＩＤＥＯ・ＩＮをＡ／Ｄ変換した後でメモリに格納し、１水平走査期間の間に２回、デジタル映像データを信号調整用回路ブロック４に供給する。
【００８７】
Ｄ／Ａ変換および信号調整用回路ブロック４は、入力されたデジタル映像データをアナログ映像データ（各ビデオ信号ＶＩＤＥＯ１〜ＶＩＤＥＯ４の各映像データ）に変換した後、正極性と負極性とに極性が反転する信号に変換し、また、入力ビデオ信号ＶＩＤＥＯ・ＩＮの振幅Ｖを振幅Ｖ１に増幅する。さらに、Ｄ／Ａ変換および信号調整用回路ブロック４は、タイミングジェネレータ２から供給される映像データ生成用の制御信号にしたがって、１水平走査期間分の映像信号を４系統に展開したビデオ信号ＶＩＤＥＯ１〜ＶＩＤＥＯ４の各映像データを液晶表示装置１０に出力する。ビデオ信号ＶＩＤＥＯ１〜ＶＩＤＥＯ４の各映像データは、本来の入力ビデオ信号ＶＩＤＥＯ・ＩＮと比べて２倍の長さに伸長されており、それぞれ、１水平走査期間の間に同一データ信号線群（ＢＵＳ１〜４またはＢＵＳ５〜８）に対して複数回、ここでは２回繰り返して出力されるようになっている。
【００８８】
上記構成により、本実施形態１の液晶表示装置１０の駆動方法について説明する。
【００８９】
図３（ａ）は、図１（ａ）の液晶表示装置１０の駆動方法を説明するための概念図、図３（ｂ）は、図１（ｂ）の比較例としての液晶表示装置１６の駆動方法を説明するための概念図である。
【００９０】
本実施形態１の液晶表示装置１０では、図３（ａ）に示すように、サンプリングパルスＳＡＭ１−１およびＳＡＭ１−２によって本来の１走査期間分の映像データを１水平走査期間の間に２回繰り返してサンプリングして各データバスラインＢＵＳ１〜ＢＵＳ４に格納（サンプルホールド）し、サンプリングパルスＳＡＭ２−１およびＳＡＭ２−２によって本来の１走査期間分の映像データを１水平走査期間の間に２回っ繰り返してサンプリングして各データバスラインＢＵＳ５〜ＢＵＳ８に格納している。
【００９１】
つまり、１回目の映像データのサンプリング（サンプリングパルスＳＡＭ１−１およびＳＡＭ２−１）により各データバスラインＢＵＳ１〜ＢＵＳ８に表示データを格納して従来のプリチャージに相当する動作を行うことにより、従来のようにプリチャージ用ドライバを設ける必要がなくなる。次に、２回目の映像データのサンプリング（サンプリングパルスＳＡＭ１−２およびＳＡＭ２−２）により各データバスラインＢＵＳ１〜ＢＵＳ８に正確な表示データを格納し直して、従来のようにサンプリングブロックの境界で発生する縦筋を低減することができる。
【００９２】
これに対して、比較例の液晶表示装置１６では、図３（ｂ）に示すように、１水平走査期間の間に、サンプリングパルスＳＡＭ１〜ＳＡＭ４によって本来の１走査期間分の映像データを１回だけサンプリングして各データバスラインＢＵＳ１〜ＢＵＳ８に格納している。このため、図３（ｂ）に矢印で示すように、サンプリングパルスＳＡＭ１によって映像データがサンプリングされてデータバスラインＢＵＳ１およびＢＵＳ２に格納される表示領域（サンプリングブロック）と、サンプリングパルスＳＡＭ２によって映像データがサンプリングされてデータバスラインＢＵＳ３およびＢＵＳ４に格納される表示領域との境界、サンプリングパルスＳＡＭ２によって映像データがサンプリングされてデータバスラインＢＵＳ３およびＢＵＳ４に格納される表示領域と、サンプリングパルスＳＡＭ３によって映像データがサンプリングされてデータバスラインＢＵＳ５およびＢＵＳ６に格納される表示領域との境界、およびサンプリングパルスＳＡＭ３によって映像データがサンプリングされてデータバスラインＢＵＳ５およびＢＵＳ６に格納される表示領域と、サンプリングパルスＳＡＭ４によって映像データがサンプリングされてデータバスラインＢＵＳ７およびＢＵＳ８に格納される表示領域との境界で、縦筋が発生するという問題がある。また、１水平走査期間の映像データのサンプリングが開始される以前にプリチャージを行うため、プリチャージ用ドライバを設ける必要がある。
【００９３】
図４（ａ）は、図１（ａ）の液晶表示装置１０におけるデータドライバ３０の動作を説明するための信号波形図、図４（ｂ）は、図１（ｂ）の比較例としての液晶表示装置１６におけるデータドライバ３６の動作を説明するための信号波形図である。
【００９４】
図４（ａ）に示すように、本実施形態１のデータドライバ３０では、サンプリングパルス生成回路３１に、各種制御信号であるスタートパルスＳＰ、クロック信号ＣＫ，ＣＫＢが入力されると、クロック信号ＣＫがロウレベルでクロック信号ＣＫＢがハイレベルであるときに、サンプリングパルスＳＡＭ１−１，ＳＡＭ１−２が順次出力される。
【００９５】
データドライバ３０のビデオ信号線３２〜３５にはそれぞれ、本来の映像信号を２倍に時間軸伸長した４系統の映像データ（ビデオ信号）ＶＩＤＥＯ１〜ＶＩＤＥＯ４が入力されている。本来の映像信号において、▲１▼〜▲８▼はそれぞれ、データ信号ＢＵＳ１〜ＢＵＳ８に対応する映像データであり、ビデオ信号線３２にはビデオ信号ＶＩＤＥＯ１として映像データ▲１▼および▲５▼をそれぞれ２倍に時間軸伸長した映像データが１水平走査期間の間にそれぞれ２回（映像データ▲１▼が２回、映像データ▲５▼が２回）供給され、ビデオ信号線３３にはビデオ信号ＶＩＤＥＯ２として映像データ▲２▼および▲６▼をそれぞれ２倍に時間軸伸長した映像データが１水平走査期間の間にそれぞれ２回供給され、ビデオ信号線３４にはビデオ信号ＶＩＤＥＯ３として映像データ▲３▼および▲７▼をそれぞれ２倍に時間軸伸長した映像データが１水平走査期間の間にそれぞれ２回供給され、ビデオ信号線３５にはビデオ信号ＶＩＤＥＯ４として映像データ▲４▼および▲８▼をそれぞれ２倍に時間軸伸長した映像データが１水平走査期間の間にそれぞれ２回供給されている。
【００９６】
ビデオ信号ＶＩＤＥＯ１〜ＶＩＤＥＯ４の各映像データは、上記サンプリングパルスＳＡＭ１−１のタイミングで映像データ▲１▼〜▲４▼が同時にサンプリングされ、次に、サンプリングパルスＳＡＭ２−１のタイミングで映像データ▲５▼〜▲８▼が同時にサンプリングされる。サンプリングされた各映像データは、アナログスイッチＳＷ１〜ＳＷ４およびアナログスイッチＳＷ５〜ＳＷ８と、表示部２０のデータバスラインＢＵＳ１〜ＢＵＳ８とをホールド容量とするサンプルホールド回路により、データバスライン容量ＣＢＵＳ１〜ＣＢＵＳ８のそれぞれに表示データが書き込まれる。
【００９７】
サンプリングパルスＳＡＭ２−１により、データバスラインＢＵＳ５〜ＢＵＳ８への各映像データのサンプリングが終了すると、表示部２０において、表示領域１を構成するデータバスラインＢＵＳ１〜ＢＵＳ４と、表示領域２を構成するデータバスラインＢＵＳ５〜ＢＵＳ８には表示するべき各映像データが格納されることになるが、データバスラインＢＵＳ４には、隣接するデータバスラインＢＵＳ５の影響によりΔＶだけ変動した表示データ（映像データ）が格納される。
【００９８】
例えば、データバスラインＢＵＳ　Ｋの容量をＣＢＵＳ、データバスラインＢＵＳ　ＫとＢＵＳ　Ｋ＋１との間の寄生容量をＣＳＳとし、ビデオ信号線に供給されるビデオ信号（映像データ）を、図１６に示すように、振幅Ｖ１で１水平走査期間毎にセンタ電位に対して極性反転させる場合を考えると、データバスラインＢＵＳ４の容量ＣＢＵＳ４にサンプルホールドしたデータの変動量ΔＶは、
ΔＶ＝２×Ｖ１×ＣＳＳ／ＣＢＵＳ
となる。ここで、Ｖ１＝４．５Ｖ、ＣＳＳ＝０．５ＰＦ、ＣＢＵＳ＝９ＰＦと仮定すると、ΔＶ＝０．５Ｖとなる。
【００９９】
次に、サンプリングパルスＳＡＭ２−１が出力される少し前にスタートパルスＳＰが再度アクティブ（ハイレベル）となると、２回目のサンプリングパルスＳＡＭ１−２およびＳＡＭ２−２が順次出力される。ビデオ信号ＶＩＤＥＯ１〜ＶＩＤＥＯ４は、上記サンプリングパルスＳＡＭ１−２のタイミングで映像データ▲１▼〜▲４▼が再びサンプリングされ、次に、サンプリングパルスＳＡＭ２−２のタイミングで映像データ▲５▼〜▲８▼が再びサンプリングされる。サンプリングされた各映像データは、アナログスイッチＳＷ１〜ＳＷ４およびアナログスイッチＳＷ５〜ＳＷ８と、表示部２０のデータバスラインＢＵＳ１〜ＢＵＳ８とをホールド容量とするサンプルホールド回路により、データバスライン容量ＣＢＵＳ１〜ＣＢＵＳ８のそれぞれに表示データとして書き込まれる。
【０１００】
ここで、２回目の各映像データのサンプリングが終了した後のデータバスラインＢＵＳ４およびＢＵＳ５に格納されているデータの変動について考察する。
【０１０１】
上述したように、Ｖ１＝４．５Ｖ、ＣＳＳ＝０．５ＰＦ、ＣＢＵＳ＝９ＰＦと仮定すると、１回目の各映像データのサンプリングにより、データバスラインＢＵＳ４には、ΔＶ４−１＝０．５Ｖの電位変動が発生する。
【０１０２】
次に、２回目の各映像データのサンプリング時に、データバスラインＢＵＳ４には、サンプリングパルスＳＡＭ１−２により、本来のデータレベルである４．５Ｖが再度格納される。この時点で、データバスラインＢＵＳ５のデータは、データバスラインＢＵＳ４の２回目のサンプリングによる電位変動（ここではΔＶ４ー１＝０．５Ｖ）により、
ΔＶ５＝ΔＶ４−１×ＣＳＳ／ＣＢＵＳ
となり、
ΔＶ５＝０．５×０．５／９＝０．０２７Ｖ
だけ変動する。
【０１０３】
しかしながら、サンプリングパルスＳＡＭ２−２が出力されると、データバスラインＢＵＳ５は、本来のデータレベルである４．５Ｖが再度格納されることとなり、２回目のサンプリングが行われた後にデータ（電位）の変動は生じない。
【０１０４】
このとき、データバスラインＢＵＳ４のデータは、データバスラインＢＵＳ５の電位変動の影響により再度変動するが、その変動量ΔＶ４−２は、
ΔＶ４−２＝ΔＶ５×ＣＳＳ／ＣＢＵＳ＝０．０２７×０．５／９
＝０．００１５Ｖ
となる。
【０１０５】
これに対して、図１（ｂ）の比較例である液晶表示装置１６では、図４（ｂ）に示すように、１水平走査期間にサンプリングパルスＳＡＭ１〜ＳＡＭ４により各映像データ▲１▼〜▲８▼をそれぞれ１回サンプリングするだけであるので、プリチャージ動作を行わない場合の変動量ΔＶおよびプリチャージを行う場合の変動量ΔＶ’はそれぞれ、ΔＶ＝０．５ＶおよびΔＶ’＝０．０８３Ｖとなる。
【０１０６】
したがって、本実施形態１の液晶表示装置１０によれば、比較例の液晶表示装置１６の場合と比べて、データ変動量の大幅な低減が可能となり、同時サンプリングが行われる表示領域（ブロック）の境界部分で発生する縦筋を大幅に改善（解消）することができる。
【０１０７】
さらに、本実施形態１の液晶表示装置１０によれば、プリチャージ用ドライバを、表示部２０が形成されるガラス基板上に設ける必要がなく、表示装置のサイズ増大やプリチャージ用ドライバの追加による歩留まりの低下、およびプリチャージ用ドライバを駆動する外部駆動回路の増加などといった不具合も改善される。
【０１０８】
さらに、本実施形態１の液晶表示装置１０によれば、ビデオ信号線数が比較例の液晶表示装置１６の場合に比べて２倍の４本となっており、４系統のビデオ信号（映像データ）を入力しているため、比較例と同様の駆動クロック周波数で１水平走査期間に映像信号のサンプリングを２回行うことができる。
【０１０９】
なお、本実施形態１では、データドライバ３０の詳細構成については特に説明しなかったが、液晶表示装置１０を駆動するデータドライバ３０がパネルサンプルホールド方式（複数点順次駆動方式）である場合を想定している。このようなドライバは、液晶表示装置１０がドライバモノリシック型である場合に用いられることが多く、本発明は、液晶表示装置１０がドライバモノリシック型液晶表示装置である場合に特に有効である。
【０１１０】
また、本実施形態１の液晶表示装置１０において、表示部２０やデータドライバ３０およびゲートドライバ４０を構成する各駆動素子として、連続粒界結晶シリコン（ＳＩ）を用いることによって、高速動作可能なドライバモノリシック型液晶表示装置を実現することができる。この場合には、駆動クロック信号の周波数を従来の２倍とすることができて、ビデオ信号線数（例えば２本；図１（ｂ）と同じ構成および図５（ａ）参照）を増やすことなく、同時サンプリングが行われる表示領域（ブロック）の境界で発生する縦筋を低減することができる。
【０１１１】
図５（ａ）は、連続粒界結晶シリコン（ＳＩ）を用いた高速動作可能なデータドライバの動作を説明するための信号波形図、図５（ｂ）は、図１（ｂ）の比較例としての液晶表示装置１６のデータドライバ３６の動作を説明するための信号波形図である。
【０１１２】
上記図１（ａ）に示す液晶表示装置１０においては、データドライバ３０の駆動クロック信号の周波数を変えることなく、１水平走査期間の間に映像データのサンプリングを繰り返し２回行うために、データドライバ３０に接続されるビデオ信号線数（ここでは４本）を比較例の液晶表示装置１６の場合（２本）と比較して２倍としている。
【０１１３】
これに対して、駆動素子に連続粒界結晶シリコン（ＳＩ）を用いることによって高速動作可能なドライバモノリシック型液晶表示装置を構成する場合には、図１（ｂ）および図５（ａ）に示すように、駆動クロック信号の周波数を従来の２倍とすることによって、ビデオ信号線数（２本）を増やすことなく、同時サンプリングが行われる表示領域（ブロック）の境界で発生する縦筋を低減することができる。
【０１１４】
ところで、上記実施形態１では、データドライバ３０を構成するシフトレジスタは、左から右方向の同一方向に２回繰り返して走査している。この場合、図６に示すように、データバスラインＢＵＳ１〜ＢＵＳ４に正確なデータが格納される時間と、データバスラインＢＵＳ５〜ＢＵＳ８に正確なデータが格納される時間とに差が生じる。
【０１１５】
上記説明では、表示部２０を構成するデータバスライン数を８本としているが、実際にはデータバスライン数が数百以上である場合が殆どであり、データバスラインＢＵＳ１とＢＵＳ５００とでは正確なデータが格納される時間に大きな差が生じる。
【０１１６】
ここで、表示部２０を構成するＴＦＴのオン抵抗と絵素容量とのなす時定数によっては、データバスラインＢＵＳ１に接続される絵素容量に表示データ（映像データ）が書き込まれる時間と、データバスラインＢＵＳ１に接続される絵素容量に表示データが書き込まれる時間とが異なることにより、中間調のべた表示を行った場合などに、表示部２０の左右で輝度むらなどの不具合が生じる虞がある。
【０１１７】
そこで、以下の実施形態２では、Ｎ回目のデータサンプリング時の走査方向と、Ｎ＋１回目のデータサンプリング時の走査方向とを切り換えて、以上のような不具合を防止する。
（実施形態２）
図７は、本発明の液晶表示装置の実施形態２におけデータドライバの要部構成を示すブロック図である。
【０１１８】
図７において、このデータドライバ３０Ａは、サンプリングパルス生成回路３１１と、サンプリングスイッチ３１２（ＳＰ＿ＳＷ）と、走査方向切換回路３１３とを有している。
【０１１９】
一般に、最近のドライバモノリシック型液晶表示装置において、データドライバの走査方向は双方向にシフトできるようになっており、図７に示すように、サンプリングパルス生成回路３１１から出力される走査方向の最終サンプリングパルス（右方向に走査している場合にはＳＡＭ４で、左方向に走査している場合にはＳＡＭ１）を走査方向切換回路３１３に出力して、走査方向切換回路３１３で走査方向切換信号を生成し、その走査方向切換信号をサンプリングパルス生成回路３１１に入力する。これによって、サンプリングパルス生成回路３１１による走査方向を切り換えるようにしている。１水平走査期間の間に映像データを繰り返して２回サンプリングする際に、１回目と２回目とでサンプリング時の走査方向を逆方向に切り換えることができる。
【０１２０】
上記構成により、サンプリングスイッチ３１２にスタートパルスＳＰが入力されると、サンプリングスイッチ３１２はサンプリングパルス生成回路３１１にスタートパルスＳＰを出力し、１回目の映像データのサンプリングが開始される。ここでは、左から右方向に走査が行われるように走査方向制御信号が設定されており、１回目の映像データサンプリング時の走査方向は、ＳＡＭ１→ＳＡＭ２→ＳＡＭ３→ＳＡＭ４の右方向となる。
【０１２１】
サンプリングが進んでサンプリングパルス生成回路３１１からサンプリングパルスＳＡＭ４が出力されると、これを走査方向切換回路３１３が検出して、右から左方向に走査が行われるように走査方向切換回路３１３から走査方向切換信号が出力され、これをサンプリングパルス生成回路３１１が検出して走査方向が逆方向に切り換わる。これによって、サンプリングパルス生成回路３１１からサンプリングパルスＳＡＭ４が再度出力されて、２回目の映像データのサンプリングが開始される。この２回目の映像データのサンプリング時の走査方向は、ＳＡＭ４→ＳＡＭ３→ＳＡＭ２→ＳＡＭ１の左方向となり、これは１回目のサンプリング時と逆方向である。
【０１２２】
一方、右から左方向に走査が行われるように走査方向制御信号が設定されている場合には、１回目の映像データサンプリングが、ＳＡＭ４→ＳＡＭ３→ＳＡＭ２→ＳＡＭ１の左方向に行われる。サンプリングが進んでサンプリングパルス生成回路３１１からサンプリングパルスＳＡＭ１が出力されると、左から右方向に走査が行われるように走査方向切換回路３１３から出力される走査方向切換信号の極性が切り換わると共に、サンプリングパルス生成回路３１１からサンプリングパルスＳＡＭ１が再度出力されて、２回目の映像データのサンプリングがＳＡＭ１→ＳＡＭ２→ＳＡＭ３→ＳＡＭ４の右方向に行われる。
【０１２３】
図８（ａ）は、図７のデータドライバ３０Ａの動作を説明するための信号波形図、図８（ｂ）は、図１（ｂ）のデータドライバ３６の動作を示す信号波形図である。
【０１２４】
図８（ａ）に示すように、このデータドライバ３０Ａでは、サンプリングパルス生成回路３１１に、制御信号であるスタートパルスＳＰ、クロック信号ＣＫ，ＣＫＢが入力されると、クロック信号ＣＫがロウレベルでクロック信号ＣＫＢがハイレベルのときに、サンプリングパルスＳＡＭ１−１が出力され、さらにＳＡＭ１−２が順次出力される。
【０１２５】
データドライバ３０Ａの４本のビデオ信号線にはそれぞれ、本来の映像信号を２倍に時間軸伸長した４系統のビデオ信号ＶＩＤＥＯ１〜ＶＩＤＥＯ４が入力されている。本来の映像信号において、▲１▼〜▲８▼はそれぞれ、データ信号ＢＵＳ１〜ＢＵＳ８に対応する映像データであり、図１（ａ）の場合と同様に、ビデオ信号線３２にはビデオ信号ＶＩＤＥＯ１としては映像データ▲１▼および▲５▼をそれぞれ２倍に時間軸伸長した映像データが１水平走査期間の間にそれぞれ２回、１回目と２回目とで逆の順番で供給され、ビデオ信号線３３にはビデオ信号ＶＩＤＥＯ２としては映像データ▲２▼および▲６▼をそれぞれ２倍に時間軸伸長した映像データが１水平走査期間の間にそれぞれ２回、１回目と２回目とで逆の順番で供給され、ビデオ信号線３４にはビデオ信号ＶＩＤＥＯ３としては映像データ▲３▼および▲７▼をそれぞれ２倍に時間軸伸長した映像データが１水平走査期間の間にそれぞれ２回、１回目と２回目とで逆の順番で供給され、ビデオ信号線３５にはビデオ信号ＶＩＤＥＯ４として映像データ▲４▼および▲８▼をそれぞれ２倍に時間軸伸長した映像データが１水平走査期間の間にそれぞれ２回、１回目と２回目とで逆の順番で供給されている。
【０１２６】
ビデオ信号ＶＩＤＥＯ１〜ＶＩＤＥＯ４は、上記サンプリングパルスＳＡＭ１−１のタイミングで映像データ▲１▼〜▲４▼が同時にサンプリングされ、次に、サンプリングパルスＳＡＭ２−１のタイミングで映像データ▲５▼〜▲８▼が同時にサンプリングされる。サンプリングされた各映像データは、アナログスイッチと、表示部のデータバスラインとをホールド容量とするサンプルホールド回路により、それぞれのデータバスライン容量に表示データとして書き込まれる。
【０１２７】
次に、サンプリングパルスＳＡＭ２−１が出力される少し前にスタートパルスＳＰが再度アクティブ（ハイレベル）となると、１回目の映像データのサンプリング時と走査方向が逆となり、サンプリングパルスＳＡＭ２−２およびＳＡＭ１−２が順次出力される。ビデオ信号ＶＩＤＥＯ１〜ＶＩＤＥＯ４は、上記サンプリングパルスＳＡＭ２−２のタイミングで映像データ▲５▼〜▲８▼が再びサンプリングされ、次に、サンプリングパルスＳＡＭ１−２のタイミングで映像データ▲１▼〜▲４▼が再びサンプリングされる。このサンプリングされた各映像データは、アナログスイッチと、表示部のデータバスラインとをホールド容量とするサンプルホールド回路により、それぞれのデータバスライン容量に表示データが書き込まれる。
【０１２８】
以上により、本実施形態２の液晶表示装置によれば、１回目の映像データのサンプリングが終了した後、サンプリングパルス生成回路３１１の走査方向を切り換えて２回目の映像データのサンプリングを行うことにより、例えば１回目の映像データのサンプリング時にはデータバスラインＢＵＳ１に接続された絵素容量への映像データの書き込み時間が長くなり、２回目の映像データのサンプリング時にはデータバスラインＢＵＳ５００に接続された絵素容量への映像データの書き込み時間が長くなり、映像データの書き込み時間を平均化することができる。このように、２回目の映像データのサンプリングが後に行われるデータバスラインに対して、１回目の映像データのサンプリングを早く行うことによって、２回目の映像データのサンプリングからゲートバスラインが非アクティブとなる期間（絵素容量に映像データが格納される期間）が短くなることを、１回目の映像データのサンプリングからゲートバスラインが非アクティブとなる期間を長くすることによって補うことができ、上述したような左右の輝度ムラを均一化することができる。
【０１２９】
また、本実施形態２の液晶表示装置においても、表示部やドライバを構成する駆動素子として、連続粒界結晶シリコン（ＳＩ）を用いることによって、高速動作可能なドライバモノリシック型液晶表示装置を実現することができる。
【０１３０】
図９（ａ）は、本実施形態２の液晶表示装置において、連続粒界結晶シリコン（ＳＩ）を用いた高速動作可能なデータドライバの動作を説明するための信号波形図、図９（ｂ）は、比較例としての液晶表示装置１６におけるデータドライバ３６の信号波形図である。
【０１３１】
駆動素子に連続粒界結晶シリコン（ＳＩ）を用いることによって高速動作可能なドライバモノリシック型液晶表示装置を構成する場合には、図９（ａ）に示すように、駆動クロック信号の周波数を従来の２倍とすることによって、ビデオ信号線の数を増やすことなく、同時サンプリングが行われる表示領域（ブロック）の境界で発生する縦筋を低減することができる。
【０１３２】
【発明の効果】
以上のように、本発明によれば、本来の映像信号をＮ系統に展開した各映像データを入力して、そのＮ系統の各映像データを同時サンプリングする複数点順次方式のデータドライバにおいて、１水平走査期間の間に、各映像データの同時サンプリングを繰り返して複数回行うことにより、同時サンプリングが行われる表示領域の境界部分で、１回目の映像データのサンプリング時に、データバスライン同士の容量結合によって隣接表示領域の映像データのサンプリングの影響による電位変動を、２回目の映像データのサンプリングによって本来のデータ電位にサンプリングし直して、従来生じていた表示画面上の縦筋の発生を抑制することができる。
【０１３３】
したがって、１水平走査期間の映像データのサンプリング前にプリチャージ動作を行う従来技術のようなプリチャージ駆動回路が不要であり、表示装置の小型化、および歩留まりの向上を図ることができる。また、１回目の映像データのサンプリングがプリチャージとして作用するため、表示諧調の電位によらず、常に最適なプリチャージをデータバスラインに施すことができる。
【０１３４】
また、Ｎ回目のデータサンプリング時の走査方向と、Ｎ＋１回目のデータサンプリング時の走査方向とを切り換えることによって、絵素容量へのデータ書き込み時間の平均化を図ることができ、表示部の左右方向に輝度むらなどが生じることを防いで、高品位な表示を得ることができる。
【図面の簡単な説明】
【図１】（ａ）は、本発明の液晶表示装置の実施形態１における要部構成を示すブロック図、（ｂ）は、図１（ａ）と比較するための比較例としての従来の液晶表示装置における要部構成を示すブロック図である。
【図２】図１（ａ）の液晶表示装置を駆動する駆動回路システムの要部構成を示すブロック図である。
【図３】（ａ）は、図１（ａ）の液晶表示装置の駆動方法を説明するための概念図、（ｂ）は、図１（ｂ）の比較例としての液晶表示装置の駆動方法を説明するための概念図である。
【図４】（ａ）は、図１（ａ）の液晶表示装置におけるデータドライバの動作を説明するための信号波形図、（ｂ）は、図１（ｂ）の比較例としての液晶表示装置におけるデータドライバの動作を説明するための信号波形図である。
【図５】（ａ）は、連続粒界結晶シリコン（ＳＩ）を用いた高速動作可能なデータドライバの動作を説明するための信号波形図、（ｂ）は、図１（ｂ）の比較例としての液晶表示装置のデータドライバの動作を説明するための信号波形図である。
【図６】実施形態１の液晶表示装置において、表示部を構成する絵素容量への書き込み時間を説明するための信号波形図である。
【図７】本発明の液晶表示装置の実施形態２におけデータドライバの要部構成を示すブロック図である。
【図８】（ａ）は、図７のデータドライバの動作を説明するための信号波形図、（ｂ）は、図１（ｂ）のデータドライバの動作を示す信号波形図である。
【図９】（ａ）は、実施形態２の液晶表示装置において、連続粒界結晶シリコン（ＳＩ）を用いた高速動作可能なデータドライバの動作を説明するための信号波形図、（ｂ）は、比較例としての液晶表示装置におけるデータドライバの信号波形図である。
【図１０】従来の一般的なアクティブマトリックス方式のドライバモノリシック型液晶表示装置の要部構成を示す回路図である。
【図１１】図１０のデータドライバの要部構成を示すブロック図である。
【図１２】図１１のサンプリングパルス生成回路の構成を示す回路図である。
【図１３】図１２のサンプリングパルス生成回路の動作を説明するための信号波形図である。
【図１４】図１１のデータドライバの動作を説明するための信号波形図である。
【図１５】従来の液晶表示装置を駆動する駆動回路システムの要部構成を示すブロック図である。
【図１６】従来の液晶表示装置の駆動回路システムにおいて、サンプルホールドＬＳＩに入力される映像信号を説明するための信号波形図である。
【図１７】（ａ）〜（ｌ）はそれぞれ、従来の液晶表示装置の駆動回路システムにおいて、サンプルホールドＬＳＩに入力される映像信号と、サンプルホールドＬＳＩから出力される１２相に展開されたビデオ信号との関係を説明するための信号波形図である。
【図１８】従来の液晶表示装置の他の構成例を示すブロック図である。
【図１９】液晶表示装置の表示部におけるデータバスライン同士の寄生容量について説明するための回路図である。
【図２０】従来の液晶表示装置に生じるデータバスライン変動ΔＶについて説明するための信号波形図である。
【図２１】従来の液晶表示装置におけるプリチャージ電位について説明するための信号波形図である。
【符号の説明】
１　　駆動回路システム
２　　タイミングジェネレータ
３　　Ａ／Ｄ変換およびメモリー回路ブロック
４　　Ｄ／Ａ変換および信号調整用回路ブロック
１０　　液晶表示装置
２０　　表示部
３０，３０Ａ　　データドライバ
４０　　ゲートドライバ
３１，３１１　　サンプリングパルス生成回路
３２〜３５　　ビデオ信号線
３１２　　サンプリングスイッチ
３１３　　走査方向切り換え回路
ＳＷ１〜ＳＷ８　　アナログスイッチ
ＢＵＳ１〜８　　データバスライン（データ信号線）
【図１】
2004045665.tif 000003
【図２】
2004045665.tif 000004
【図３】
2004045665.tif 000005
【図４】
2004045665.tif 000006
【図５】
2004045665.tif 000007
【図６】
2004045665.tif 000008
【図７】
2004045665.tif 000009
【図８】
2004045665.tif 000010
【図９】
2004045665.tif 000011
【図１０】
2004045665.tif 000012
【図１１】
2004045665.tif 000013
【図１２】
2004045665.tif 000014
【図１３】
2004045665.tif 000015
【図１４】
2004045665.tif 000016
【図１５】
2004045665.tif 000017
【図１６】
2004045665.tif 000018
【図１７】
2004045665.tif 000019
【図１８】
2004045665.tif 000020
【図１９】
2004045665.tif 000021
【図２０】
2004045665.tif 000022
【図２１】
2004045665.tif 000023